(57)【要約】【課題】  店頭での食品の包み込みも容易であり、食べるときも手や指を汚すことなく容易に包装した食品を取り出して食べることのできる袋付き包装紙を提供する。この袋付き包装紙を、ファーストフード店でのハンバーガー包装紙として特に優れた効果を発揮する。【解決手段】  袋付き包装紙１は、調理用台紙を兼ねた包装紙１０の上辺部に食品収容袋２０が一体に形成されている。好ましくは、基材包装紙１０Ａの一部を側方に向けて折り返して重畳した領域１４を形成し、その重畳領域１４の下辺部１６と側縁部１７とを熱シールして、包装紙１０の上辺部に上方を開口した食品収容袋２０を一体に形成する。【選択図】  図２
2006273378.tif 000002
【特許請求の範囲】
【請求項１】
調理用台紙を兼ねた包装紙の上辺部に食品収容袋が一体に形成されていることを特徴とする袋付き包装紙。
【請求項２】
包装紙の上から一定幅の領域が側方に向けて折り返されて重畳した領域とされ、重畳した領域の下辺部分または下辺部分と側縁部分とが熱シールされることにより重畳した領域が食品収容袋とされていることを特徴とする請求項１に記載の袋付き包装紙。
【請求項３】
食品収容袋は包装紙の上辺部のほぼ中央に位置しており、包装紙の上から一定幅の領域であって食品収容袋よりも前記折り返した部分と反対側の領域は除去されていることを特徴とする請求項２に記載の袋付き包装紙。
【請求項４】
食品収容袋の下辺近傍には易破断部が形成されていることを特徴とする請求項１から３のいずれかに記載の袋付き包装紙。
【請求項５】
食品収容袋の下辺近傍における包装紙には補強板が包装紙の幅方向に配置されていることを特徴とする請求項１から４のいずれかに記載の袋付き包装紙。
【請求項６】
調理台の上に、請求項１から５のいずれか記載の袋付き包装用紙をその調理用台紙を兼ねた包装紙を開いた姿勢で置き、包装紙の上に食品を置いて必要な調理を行い、調理後の食品を食品収容袋に収容した後、包装紙で食品を収容した食品袋全体を包み込むことを特徴とする食品の包装方法。
【請求項７】
請求項６に記載の食品の包装方法により包装された包装済み食品。
【発明の詳細な説明】
【技術分野】
【０００１】
本発明は、限定されるものではないが、特に、ファーストフード店において提供されるハンバーガーなどの食品を収納するのに適した袋付き包装紙とそれを用いた食品の包装方法、および包装済み食品に関する。
【背景技術】
【０００２】
ファーストフード店でハンバーガーなどの食品を提供する際、包装材として、ポリエチレンフィルムなどでラミネートした包装紙または箱型容器（クラムシェル型容器）とが用いられる。ハンバーガーの場合、多段に積み上げて高さの高くされたものはクラムシェル型の箱形容器に入れて提供されるが、比較的薄手のものは、包装紙で包んで提供されることが多い。いずれの場合も、購買者は、ハンバーガーを食べるときに包装材を介してハンバーガーを掴むようにして手で持ち、手や指が汚れるのを防いでいる。
【０００３】
包装紙を包装材として用いる場合に、包装紙として比較的広い面積を持つ単純な長方形のものを用いると、それを調理台の上に台紙として開いて置き、その上で、異種食材の積み上げなど販売品となるハンバーガーに対する必要な調理を行い、完成したハンバーガーを、台紙として使用した包装紙でそのまま包み込んで、購買者に手渡すことができるので、店頭での一連の作業を簡素化できる利点がある。しかし、購買者がハンバーガーを食べるときに、注意深く包装紙を開かないとハンバーガーが包装紙の外に飛び出してしまうことがある。また、包装紙全体を手で持ちながら食べることとなり、食べづらさが残る。さらに、店員がハンバーガーを包むときに、包装紙上でのハンバーガーの位置を注意深く決める必要がある。
【０００４】
特許文献１には、上下方向の下から中間位置まで両側縁を接着したハンバーガーなどの食品包装袋が記載され、この袋では、両側縁の上方部は接着されてなく、大きな開口部となる舌片を形成することから、食品が包装しやすく、また食べやすくなると記載されている。特許文献２には、単に長方形のハンバーガー用包装紙であって、中央部にミシン目のような切り込みとつまみ部を設けたものが記載され、この包装紙で包み込んだハンバーガーを食べるときには、つまみ部を引くことにより、切り込みから包装紙を容易に左右に切り開くことができ、ハンバーガーを落とすことなくまた手を汚すことなく食べることができると記載されている。
【０００５】
【特許文献１】実開平５−４０１５０号公報
【特許文献２】特開２０００−４３９３１号公報
【発明の開示】
【発明が解決しようとする課題】
【０００６】
特許文献１に記載の形態の食品包装袋は、店員がハンバーガーを袋内に収容するのも容易であり、収容後の包装も容易である。しかし、調理用の台紙となる面積はなく、店頭で調理用台紙を別途用意すること、用意した調理用の台紙を包装用袋とは別に調理台の上に配置すること、などの作業が必要となる。特許文献２に記載のハンバーガー用包装紙は、調理時の台紙を兼ねることができる。しかし、良好な包装体を得るために、包装時に調理後のハンバーガーを慎重に位置決めすることが必要となる。また、購入してから食べるまでの間に、ミシン目のような切り込み部から、ソースなどが染み出る恐れがある。さらに、半分の包装紙を分離してしまうことから、食休みをしたい場合に、ハンバーガー全体を包み直すことは容易でない。
【０００７】
本発明は、上記のような事情に鑑みてなされたものであり、調理用の台紙として必要な面積を確保しながら、調理後の食品の位置決めと包装が容易であり、包装後にソースなど食品から液汁が染み出ることもなく、さらに、購買者は手や指を汚すことなく、包装した食品を安定して食べることができるようにした、ファーストフード店などで好適に用いられる包装紙（袋付き包装紙）を提供することを目的とする。また、本発明は、その袋付き包装紙を用いた食品の包装方法および包装済み食品を提供することを目的とする。
【課題を解決するための手段】
【０００８】
本発明による袋付き包装紙は、調理用台紙を兼ねた包装紙の上辺部に食品収容袋が一体に形成されていることを特徴とする。
【０００９】
包装紙は調理用台紙を兼ねており、店頭では、調理台の上に本発明による袋付き包装紙を広げて置き、上辺部に取り付けた食品収容袋を包装紙の外側に位置させることにより、包装紙の全面積を調理用空間として利用することができる。食品が例えばハンバーガーの場合、下パンと上パンとを包装紙の上に並べておき、下パンの上に順次異種食材を積み上げていく作業を行い、最後に上パンを最上位に積み重ねることにより、目的とするハンバーガーは完成する。食材毎の積み重ねを調理台上の異なった位置で行うようになっている店頭においては、店員は、包装紙を調理台上で滑らすようにして移動させることにより、それを行うことができる。
【００１０】
完成した食品を袋詰めする作業も、包装紙と食品収容袋は一体に形成されているのできわめて容易であり、袋詰め後も、格別の注意を払うことなく、食品を収容した食品袋全体を包装紙によって容易に包み込むことができる。包装済みの食品はそのまま店頭にディスプレーすることもでき、購買者に手渡すこともできる。包装紙の包装した食品に直接触れる部分には、ミシン目などの開孔はなく、購買者が持ち歩くときに、食品の液汁が外部に染み出ることもない。
【００１１】
食べようとするときは、包み込んだ包装紙を自由に解放しても、食品は食品収容袋内に納められており、不用意に落下いることはない。また、食品収容袋を手でもって食べることができるので、手や指が汚れることもない。食品収容袋と包装紙とを食べるときに分離してしまえば、包装紙が食べるときの邪魔になることはない。さらに、分離した包装紙を食休み置き場やシートとしても利用することができる。もちろん、食休みをとるなど、複数回に分けて食べることを予定する場合には、食品収容袋と包装紙とを分離することなく食べるようにすれば、食休み後などでの再包装も容易である。
【００１２】
本発明において、包装紙と食品収容袋の素材には、好ましくは、紙とポリエチレンフィルムなどの樹脂フィルムを積層したものが用いられ、樹脂フィルム側が食品側となるようにして用いられる。包装紙と食品収容袋は同じ素材であってもよく、異なった素材で作られていてもよい。後者の場合、別途作った食品収容袋を熱シールなど適宜の手段で包装紙の上辺に一体化する。しかし、両者を同じ素材で作ることは、コスト的にも作業的にも有効である。
【００１３】
従って、本発明による袋付き包装紙の好ましい態様は、包装紙の上から一定幅の領域が側方に向けて折り返されて重畳した領域とされ、重畳した領域の下辺部分または下辺部分と側縁部分とが熱シールされることにより重畳した領域が食品収容袋とされていることを特徴とする。
【００１４】
この態様の袋付き包装紙は、一枚の矩形状の包装紙を用いて容易に作り出すことができる。最初に矩形状の包装紙を用意し、上辺から一定距離ａだけ下がった位置で、一方の側辺から上辺に平行に所定距離ｂの切り込みを入れ、該切り込みを入れた部分を他の側辺がわに向けて折り返えす。それにより、高さが前記ａであり、幅が前記ｂである重畳した領域ができあがる。その領域の下辺部分と側縁部分とを熱シールすることにより、包装紙の上辺部に一体となった形で、上方が開口し、深さがａ、幅がｂである食品収容袋が完成する。重畳領域の側縁の熱シール方向は、折り返し片と平行であってもよく、上方が広がるように斜めに傾斜した方向であってもよい。後者の場合は、入り口部が底部よりも大きくなった食品収容袋が得られる。収容しようとする食品の種類や大きさによっては、重畳した領域の下辺部分のみを熱シールにより融着してもよく、この場合には、上方と一つの側縁が開放した食品収容袋となる。なお、包装紙として、紙とポリエチレンフィルムなどの樹脂フィルムを積層したものを用いる場合には、樹脂フィルム側を上面側として、上記の作業を行う。それにより、包装時に食品が接する面はすべて樹脂フィルム面となり、かつ熱融着される面も樹脂フィルム面となる。
【００１５】
包装する食品によって異なるが、例えばハンバーガー用の袋付き包装紙を作る場合の一例では、最初に用意する包装紙の寸法は、縦２００〜３００ｍｍ×横４００〜５００ｍｍ程度の大きさとされ、前記距離ａは７０〜８０ｍｍ程度、距離ｂは１５０〜１７０ｍｍ程度とされる。そのような寸法取りをすることにより、包装紙の上辺部のほぼ中央に食品収容袋が位置する袋付き包装紙が得られる。この形態の袋付き包装紙は、食品収容袋に食品を収容した後の包装紙による食品の包装作業は容易となるが、前記距離ｂを調整して、包装紙の一方の側辺側に偏った位置に食品収容袋が位置するようにしてもよい。食品収容袋よりも前記折り返した部分と反対側の包装紙の領域はそのまま残されていてもよいが、適宜の手段により除去してもよい。後者の場合、食品を収容した食品収容袋をそこに続く包装紙で包装する作業が容易となる。
【００１６】
本発明による袋付き包装紙の好ましい形態では、食品収容袋の下辺近傍には易破断部が形成される。易破断部を形成することにより、必要なときに下方の包装紙を食品収容袋から容易に分離することができるので、食べるときの煩わしさを無くすことができる。易破断部は、ミシン目や熱溶融線などであってよく、破断開始位置にＶカット部のような応力集中部を設けるようにしてもよい。
【００１７】
本発明による袋付き包装紙の他の形態では、食品収容袋の下辺近傍における包装紙部分に補強板が包装紙の幅方向に配置される。この形態の袋付き包装紙では、食品を収容した食品収容袋を包装紙で包み込んだ後、該補強板を立てた姿勢として、包装品の周囲を囲い込むことが可能となり、潰れなどに対する食品保護性が向上する。
【００１８】
本発明による袋付き包装紙は、保管時には、食品収容袋部分を包装紙側に折り込んだ姿勢としておくのが好ましく、それにより、保管スペースを有効利用することができる。
【００１９】
本発明は、また、調理台の上に、上記のいずれかの態様の袋付き包装用紙をその調理用台紙を兼ねた包装紙を開いた姿勢で置き、包装紙の上に包装しようとする食品を置いて必要な調理を行い、調理後の食品を食品収容袋に収容した後、包装紙で食品を収容した食品袋全体を包み込むことを特徴とする食品の包装方法、および上記の食品の包装方法により包装された包装済み食品をも開示する。
【発明の効果】
【００２０】
本発明によれば、袋付き包装紙を構成する包装紙が調理用台紙を兼ねているので、店頭で別途調理用台紙を用意する必要がない。また、包装紙の上辺部に食品収容袋が一体に形成されているので、包装紙の上で食材を積み上げて調理した調理後の食品を、そのまま袋詰めしかつ容易に全体を包装することができる。購買者は、包装した食品を食べるときに袋と包装紙とを分離し、袋の部分を手に持って食べることにより、手や指を汚すことなくまた障害物が周囲にない状態で、包装した食品を食べることができる。分離した包装紙は飲食時の食休み置き場となどとして有効に利用することができる。本発明による袋付き包装紙は、ファーストフード店でのハンバーガー包装紙として特に優れた効果を発揮する。
【発明を実施するための最良の形態】
【００２１】
以下、図面を参照しながら本発明を説明する。図１は本発明による袋付き包装紙の一形態を作るのに用いる基材包装紙を示す平面図であり、図２は図１に示した基材包装紙を用いて作った袋付き包装紙を示す平面図である。図３は図２に示す袋付き包装紙の保管時の姿勢を示しており、図４はその袋付き包装紙を用いて食品を調理する状態を示している。図５は完成した食品（ハンバーガー）を食品収容袋に入れた状態を示し、図６は図５に示す状態から包装紙による包装を開始するときの状態を示している。また、図７は包装済み食品の包装を解き、食品（ハンバーガー）を食べるときの状態を説明している。
【００２２】
図１に、本発明による袋付き包装紙の一形態を作るのに用いる基材包装紙１０Ａを示しており、紙とポリエチレンフィルム１０ａの積層シートであって、ポリエチレンフィルム１０ａ側が上面として置かれている。この例において、基材包装紙１０Ａは縦ａは３０５ｍｍ、横ｂは４８０ｍｍの長方形であり、左側辺の上辺から７５ｍｍの箇所で、水平方向に１６０ｍｍの切り込み線１１が入っている。
【００２３】
袋付き包装紙１とするには、切り込み線１１よりも上の部分１２を内側に向けて折り込む。それにより、部分１２はその右方の基材包装紙１０Ａの部分１３に上から重畳し、図２に示すように、２枚の包装紙部分１２と１３が重なった領域１４が形成される。重畳領域１４の右方部分１５は、そのまま残しておいてもよく、図２に示すように、切除してもよい。
【００２４】
重畳領域１４の下辺部１６と右側縁部１７に沿って熱シールする。それにより、熱シール部で、基材包装紙１０Ａに積層されているポリエチレンフィルム１０ａ同士が熱融着して一体化し、下辺部１６と右側縁部１７と折り込み線である左側縁部１８が閉鎖し、上縁１９が開放した食品収容袋２０が、下方の包装紙１０と下辺部１６の部分で一体化した形で形成されて、本発明による袋付き包装紙１となる。必須のものではないが、食品収容袋２０の下辺部１６の全長に沿ってミシン目２１が易破断部として形成され、ミシン目２１の一方端、図示の例では左端には、Ｖカット部２２が応力集中部として形成される。
【００２５】
図示の例において、袋付き包装紙１における、食品収容袋２０の寸法は、深さｄが７５ｍｍ、幅ｗが１６０ｍｍであり、その下辺部１６から左右横方向に包装紙１０が１６０ｍｍの幅で広がっている。包装紙１０の大きさは、上下幅ａ１は２３０ｍｍ、横幅ｂは４８０ｍｍである。製造された袋付き包装紙１は、図３に示すように、食品収容袋２０を包装紙１０側に向けて折り込まれ、その状態で必要枚数だけ積層した状態で、例えばハンバーガーショップの店頭に運ばれる。
【００２６】
上記の袋付き包装紙１を用いて食品を包装する方法を、食品がハンバーガーである場合を例として説明する。ハンバーガーショップの店員は、積層状態の袋付き包装紙群から一枚の袋付き包装紙１を取り、それを調理台の上に置く。そして、調理スペースを広くとるために折り込んである食品収容袋２０を、図４に示すように、上方に広げる。次ぎに、包装紙１０の上にハンバーガー３０の下パン３１と上パン３２を切り口を上にして置き、包装紙１０を調理用台紙として利用して、下パン３１の上に他の食材（不図示）を順次積み重ね、最後にその上に上パン３２を載せて、ハンバーガー３０とする。調理台上の異なった場所で、異なった食材を積み上げるような場合には、包装紙１０を手で引いて全体を調理台上の異なった場所に移動する。
【００２７】
ハンバーガー３０の完成後、店員は、上方に広げた食品収容袋２０を再び包装紙１０側に倒し、食品収容袋２０の開放部である上縁１９を開き、図５に示すように、そこからハンバーガー３０を食品収容袋２０内に入れる。その上を、包装紙１０の左右の領域部分１０ｃ，１０ｃ（右上がり斜線領域）で包み込み、包み込んだ後、包装紙１０の図で下側の部分１０ｄ（左上がり斜線領域）を上方に折り曲げることにより、ハンバーガー包装品は完成する。
【００２８】
購買者はその状態の包装品を店頭で購入する。食べるときは、包装紙１０を開いて包装を解き、図７に示すように、前記ミシン目２１の部分で、ハンバーガー３０を収容した食品収容袋２０と包装紙１０とを切り離す。食品収容袋２０の部分を手に持ちハンバーガー３０を食べることができるので、手や指が汚れることはない。分離した包装紙１０は、廃棄するか、シートとして利用することもできる。分離しないで途中までハンバーガー３０を食べ、再度、残りのハンバーガー３０を収容した食品収容袋２０を包装紙１０で包み込むこともできる。
【００２９】
図８ａは、他の形態の袋付き包装紙を作るときの、基材包装紙１０Ａの他の形態を示している。この基材包装紙１０Ａ１では、図１に示した基材包装紙１０Ａにおける部分１２の上方側が基材包装紙１０Ａの上辺よりもさらに上方に広がった部分１２ａを有している点で相違する。この基材包装紙１０Ａ１を用いて作られる袋付き包装紙１Ａでは、図８ｂに示すように、食品収容袋２０の開口部１９の上方に、前記広がった部分１２ａによる舌片２５が形成されるので、そこを利用することにより、店員が食品収容袋２０の開口部１９を開く作業が容易となり、結果として、ハンバーガー３０を袋２０内に収容する作業も容易となる。
【００３０】
図９は本発明による袋付き包装紙１のさらに他の形態を示している。この袋付き包装紙１Ｂでは、包装紙１０の食品収容袋２０側に上辺に沿って、その裏面側に、厚紙のような適宜の強さを持つ帯状の板材が補強材２６として取り付けられている点、補強材２６の下縁に沿うようにして包装紙１０には、第２の切り込み線２７が形成されている点で、上記した袋付き包装紙１と相違している。この袋付き包装紙１Ｂでは、食品収容袋２０にハンバーガー３０を収容した後、前記切り込み線２７の位置で全体を包装紙１０の上に折り返し、その状態で、包装紙１０で食品収容袋２０を包み込む。そのときに、補強材２６はそのままの姿勢で放置しておく。包装紙１０による包み込みが終わった後、包装品の周りを囲むように補強材２６を立てた姿勢で湾曲させ、端部同士を粘着テープなどで接合する。その状態が図１０に示される。この包装品では、補強板２６で包装品の周囲を囲い込むことができるので、潰れなどに対する食品保護性が向上する。
【００３１】
なお、上記の袋付き包装紙１Ｂでは、補強材２６が露出しているために、調理時に補強材２６が食品（ハンバーガー）に触れないように、注意を払いながら調理を行う必要がある。図１１は、その不都合を解消した、前記した袋付き包装紙１Ｂの変形例を示す。この袋付き包装紙１Ｂ１では、図９のようにして補強材２６を包装紙１０の表側に配置した後、補強材２６の下縁に沿って全体を包装紙１０の上に折り曲げる。そして、折り曲げられた包装紙１０の上辺部に沿って、熱シール部２８，２８を形成するとともに、該熱シール部２８，２８に沿って、包装紙１０に第２の切り込み線２９，２９を形成する。この袋付き包装紙１Ｂ１の使用態様は、前記袋付き包装紙１Ｂと同様であるが、補強材２６を包装紙１０で包み込んでいるので、包装紙１０の上での食品（ハンバーガー）の調理を容易に行える利点がある。
【００３２】
上記の説明では、食品収容袋２０は、３辺が閉鎖しているものを示したが、前記重畳領域１４の下辺部１６のみを熱シールして、上辺１９と右側縁１７の全体が開放した食品包装袋２０としてもよく、下辺部１６と右側縁１７の一部を熱シールして、上辺１９と右側縁１７の上方位置が開放した食品包装袋２０としてもよい。いずれの場合も、袋の開放部分が広くなるので、食品（ハンバーガー３０）を袋詰めしやすくなる利点がある。反面、包装を開くときに、食品（ハンバーガー３０）が袋２０から飛び出しやすくなるので、どの形態の食品包装用袋２０を採用するかは、袋の大きさや収容する食品の大きさなどを考慮して、適宜選択すればよい。
【００３３】
また、基材包装紙１０Ａから食品収容袋２０と包装紙１０とが一体となった袋付き包装紙１を作成する場合のみを説明したが、別途食品収容袋２０を作成し、それを基材包装紙１０Ａの上辺に熱シールなどの手段により一体化して袋付き包装紙とすることもできる。また、食品収容袋２０として、側縁や底部に折り込み（タグ）のないものを説明したが、折り込みを持たせて、食品を収容する容積をより大きなものとすることもできる。
【図面の簡単な説明】
【００３４】
【図１】本発明による袋付き包装紙の一形態を作るのに用いる基材包装紙を示す平面図。
【図２】図１に示した基材包装紙を用いて作った袋付き包装紙を示す平面図。
【図３】図２に示す袋付き包装紙の保管時の姿勢を示す平面図。
【図４】図２に示す袋付き包装紙を用いて食品を調理する状態を説明するための図。
【図５】完成した食品（ハンバーガー）を食品収容袋に入れた状態を示す図。
【図６】図５に示す状態から、包装紙による包装を開始するときの状態を示す図。
【図７】包装済み食品の包装を解き、食品（ハンバーガー）を食べるときの状態を説明する図。
【図８】他の形態の基材包装紙を示す平面図（図８ａ）とそれを用いて作った袋付き包装紙の平面図（図８ｂ）。
【図９】他の形態の袋付き包装紙を示す平面図。
【図１０】図９に示した袋付き包装紙を用いて食品を包装した後の状態を示す図。
【図１１】さらに他の形態の袋付き包装紙を示す平面図。
【符号の説明】
【００３５】
１、１Ａ、１Ｂ、１Ｂ１…袋付き包装紙、１０Ａ、１０Ａ１…基材包装紙、１０…包装紙、１１…切り込み線、１４…重畳した領域、１６…重畳領域の下辺部、１７…重畳領域の右側縁部、１８…折り込み線である重畳部の左側縁部、１９…重畳部の開放した上縁、２０…食品収容袋、２１…ミシン目（易破断部）、２２…Ｖカット部（応力集中部）、２６…補強材、２８…熱シール部、２９…切り込み線、３０…ハンバーガー（食品）、３１…ハンバーガーの下パン、３２…ハンバーガーの上パン
【図１】
2006273378.tif 000003
【図２】
2006273378.tif 000004
【図３】
2006273378.tif 000005
【図４】
2006273378.tif 000006
【図５】
2006273378.tif 000007
【図６】
2006273378.tif 000008
【図７】
2006273378.tif 000009
【図８】
2006273378.tif 000010
【図９】
2006273378.tif 000011
【図１０】
2006273378.tif 000012
【図１１】
2006273378.tif 000013